(57)【要約】【課題】歯科用治療椅子のバックレストのうがい位置移行時の傾斜角度に連動してスピットン鉢を出すタイミングを任意に設定できるようにし、個々の患者に合わせたタイミングでうがいをしてもらうことを可能とし、患者にストレスを与えることなく、診療を続けてもらうことができるようにする。【解決手段】起倒可能なバックレスト１ｂを有する歯科用治療椅子１と、該歯科用治療椅子１の側部に配設された給排水ボックス３と、診療時は図１（Ａ）に示すように、該給排水ボックス３内に収納され、うがい時は、図１（Ｄ）に示すうがい位置に移動されるスピットン鉢４とを有する。バックレスト１ｂが図１（Ａ）の状態から図１（Ｄ）の状態に移行する任意所望の傾斜角のθ1，θ2（例えば、図１（Ｂ），図１（Ｃ））のときに、設定用押し釦Ｓを押すと、それ以降は、バックレスト１ｂが当該傾斜角になった時、スピットン鉢４はうがい位置になっている。【選択図】図１
2008048758.tif 000002
【特許請求の範囲】
【請求項１】
起倒可能なバックレストを有する歯科用治療椅子と、該歯科用治療椅子の側方に配設された給排水ボックスと、常時は、該給排水ボックス内に収納され、うがい時、前記バックレストの起動作と連動して収納位置からうがい位置に移動されるスピットン鉢とを有する歯科用治療ユニットにおいて、前記スピットン鉢のうがい位置への移動は、前記バックレストの診療位置からうがい位置への起動作中の傾斜角に関連しかつ該バックレストの起動作が完了する前にうがい位置に到達するものであることを特徴とする歯科用治療ユニット。
【請求項２】
前記スピットン鉢がうがい位置になるタイミングは、前記バックレストの傾斜角によって決定されるものであること特徴とする請求項１に記載の歯科用治療ユニット。
【請求項３】
前記スピットン鉢がうがい位置になるタイミングは、前記バックレストの起動作中に押される押し釦によって決定され、以降、バックレストが前記押し釦が押された時の傾斜角の時に、前記スピットン鉢がうがい位置になることを特徴とする請求項１又は２に記載の歯科用治療ユニット。
【発明の詳細な説明】
【技術分野】
【０００１】
本発明は、歯科用治療ユニット、より詳細には、歯科用治療椅子のバックレストの起動作に連動してスピットン鉢をうがい位置に移動するようにした歯科用治療椅子において、バックレストの起動作中の傾斜角に連動してスピットン鉢を出すタイミングを任意に設定できるようにして、個々の患者さんにストレスを与えることなく、診療を続けてもらうことができるようにした歯科用治療ユニットに関する。
【背景技術】
【０００２】
図２は、本発明が適用される歯科用治療ユニットの一例を示す全体構成図で、図中、１は、安頭台１ａ、バックレスト１ｂ、コンターシート１ｃ等からなる歯科用治療椅子、２はワークテーブル、３は給排水ボックス、４はスピットン鉢、５は無影灯、６はインスツルメントホルダ、７はフットスイッチ、８はアシスタント用インスツルメントホルダで、インスツルメントホルダ６には、歯科治療において使用する種々のインスツルメント９が収納されており、周知のように、歯科治療に当り、患者は歯科用治療椅子１に座り、頭を安頭台１ａに固定して治療を受ける。治療中、術者は歯科用治療椅子１を上下動，倒起動，傾斜動等させて、患者を治療しやすい姿勢にして治療を行なう。
【０００３】
図３は、従来の歯科用スピットンの一例を説明するための要部斜視図で、図中、３は給排水ボックス、４はスピットン鉢で、スピットン鉢４は排給水ボックス３に軸３ａを中心に回動自在に取り付けられており、通常は、図３（Ａ）にて示すように、給排水ボックス３内に収納されており、うがい時、図３（Ｂ）に示すように、軸３ａを中心に回転されてうがいができる状態になる。スピットン鉢４の上述のごとき動きは、バックレスト１ｂが起状態（うがい位置）になった後に、自動的に、或いは、スピットン専用のスイッチを押した時に、図３（Ｂ）に示すうがい可能状態となり、所定時間経過後、或いは、歯科用治療椅子１の倒スイッチが押された時に、図３（Ａ）に示す収納状態に戻るようになっている。
【発明の開示】
【発明が解決しようとする課題】
【０００４】
上述のように、従来の歯科用治療ユニットにおいては、歯科用治療椅子のバックレストがうがいポジションへ移動してからスピットン鉢が給排水ボックスから出てくるようになっているが、患者さんによってはうがいをする際に、治療椅子（バックレスト）が診療ポジションからうがいポジションへ移動するのを待てずに、自分で起き上がってうがいを始めてしまう人もおり、そういう患者さんたちには口腔内に含んだうがい水を吐き出すタイミングが合わないという問題点があった。
【０００５】
本発明は、上述のごとき実情に鑑みてなされたもので、歯科用治療椅子のバックレストが診療位置からうがい位置に移動する途中の傾斜角度とスピットン鉢が給排水ボックスから出てくるタイミングとを関連させ、バックレストの傾斜角が、術者又はアシスタントが設定する所望の角度になった時に、前記スピットン鉢のうがい位置への移動の開始或いはうがい位置への移動が終了するようにしたものである。
【課題を解決するための手段】
【０００６】
請求項１の発明は、起倒可能なバックレストを有する歯科用治療椅子と、該歯科用治療椅子の側方に配設された給排水ボックスと、常時は、該給排水ボックス内に収納され、うがい時、前記バックレストの起動作と連動して収納位置からうがい位置に移動されるスピットン鉢とを有する歯科用治療ユニットにおいて、前記スピットン鉢のうがい位置への移動は、前記バックレストの診療位置からうがい位置への起動作中の傾斜角に関連しかつ該バックレストの起動作が完了する前にうがい位置に到達するものであることを特徴としたものである。
【０００７】
請求項２の発明は、請求項１の発明において、前記スピットン鉢がうがい位置になるタイミングは、前記バックレストの傾斜角によって決定されるものであること特徴としたものである。
【０００８】
請求項３の発明は、請求項１又は請求項２の発明において、前記スピットン鉢がうがい位置になるタイミングは、前記バックレストの起動作中に押される押し釦によって決定され、以降、バックレストが前記押し釦が押された時の傾斜角の時に、前記スピットン鉢がうがい位置になることを特徴としたものである。
【発明の効果】
【０００９】
本発明によると、歯科用治療椅子のバックレストを診療位置からうがい位置に起動作させる時のバックレストの傾斜角に連動してスピットン鉢を出すタイミングを任意に設定できるようにしたので、個々の患者さんに合わせたタイミングでうがいをしてもらうことが可能になり、これにより、患者さんにストレスを与えることなく、診療を続けてもらうことができるようになった。
【発明を実施するための最良の形態】
【００１０】
図１は、本発明による歯科用診療ユニットにおけるスピットン鉢（うがい鉢）の一実施例を説明するための要部概略構成図で、図中、１は歯科用治療椅子、３は給排水ボックス、４はスピットン鉢（うがい鉢）で、給排水ボックス３は歯科用治療椅子１の側方に配設されており、スピットン鉢４は該給排水ボックス３内に収納自在に設けられ、うがい時のみ、該給排水ボックス３から患者の前に出てきて、患者がうがいできる状態になる。
【００１１】
而して、従来のスピットン鉢は、前述のように、歯科用治療椅子がうがい位置への移動を完了してから、給排水ボックスから出てくるようになっており、そのため、患者さんによってはうがいをする際に、歯科用治療椅子が診療ポジションからうがいポジションへ移動するのを待てずに、自分で起き上がってうがいを始めてしまう人もおり、そういう患者さんたちにはうがいのタイミングが合わないという問題点があった。
【００１２】
本発明は、上述のごとき問題を解決するためになされたもので、診療位置からうがい位置へ移動中のバックレストの傾斜角度に連動してスピットン鉢を出すタイミングを任意に設定できるようにすることにより、個々の患者さんに合わせたタイミングでうがいをしてもらうことが可能となり、これにより、患者さんにストレスを与えることなく、診療を続けてもらうことができるようにしたものである。
【００１３】
図１は、本発明による歯科用治療ユニットの動作例を説明するための図で、図１（Ａ）は、診療時の状態を示し、この時、歯科用治療椅子１（バックレスト１ｂ）は倒（寝）状態にあり、スピットン鉢４は給排水ボックス３内に収納されている。図１（Ｄ）は、うがい時の状態を示し、この時、歯科用治療椅子１（バックレスト１ｂ）は起状態にあり、スピットン鉢４も給排水ボックス３から引き出されてうがい位置にあり、この図１（Ｄ）に示す状態で、従来の歯科用治療ユニットと同様にして、うがいをし、うがいしたうがい水をスピットン鉢４内に吐き出すことができる。
【００１４】
本発明は、歯科用治療椅子１が図１（Ａ）に示した倒状態（診療位置）から図１（Ｄ）に示した起状態（うがい位置）になる前に、図１（Ｂ）或いは図１（Ｃ）に示すように、スピットン鉢４をうがい位置にして、歯科用治療椅子１（バックレスト１ｂ）が起状態になる前にうがいできる状態にすることにある。図１（Ｂ）は、歯科用治療椅子１のバックレスト１ｂの傾斜角がθ1の時に、スピットン鉢４がうがい位置になる例を、図１（Ｃ）は、バックレスト１ｂの傾斜角がθ2の時にスピットン鉢４がうがい位置になる例を示す。
【００１５】
上述のように、本発明は、歯科用治療椅子１（バックレスト１ｂ）が倒（診療）ポジションから起（うがい）ポジションになるまでの途中の任意所望の傾斜角の時に、スピットン鉢４をうがい可能状態にするようにしたものであるが、うがい可能状態にするタイミングは、歯科用治療椅子１（バックレスト１ｂ）の起動作と関連している。スピットン鉢４がうがい可能状態になるタイミングを設定する基準となるバックレスト１ｂの傾斜角の設定は、術者又はアシスタントが患者さんの様子を見て、例えば、バックレスト１ｂが図１（Ｂ）に示す状態になった時にうがいをしようとする患者さんに対しては、バックレスト１ｂが図１（Ｂ）に示す傾斜角（θ1）のときに、バックレスト１ｂが図１（Ｃ）に示す状態になった時にうがいをしようとする患者さんに対しては、バックレスト１ｂが図１（Ｃ）に示す傾斜角（θ2）のときに、設定用押し釦を押す。
【００１６】
設定用及び解除用押し釦は、図１に一例として示すように、バックレスト１ｂの上部背面、上側部、肩部、或いは、その他任意所望の位置に、例えば、設定用押し釦Ｓ、解除用押し釦Ｒ等として設けておき、バックレスト１ｂが診療位置からうがい位置に移行するうがい位置移行時、バックレスト１ｂが設定しようとする傾斜角になった時に（換言すれば、患者さんがうがいしようとした時に）、設定用押し釦Ｓを押すと、図示しないメモリがその時のバックレスト１ｂの傾斜角を記憶し（一般に、バックレストの移動量（傾斜角）はエンコーダで読み取っているので、設定用押し釦を押したときのエンコーダの読み取り値を記憶する）、それ以降バックレスト１ｂがうがい位置へ移行する際、バックレスト１ｂが前記記憶した角度になった時に、スピットン鉢４がうがい可能状態になるように、少し前もって駆動され、バックレスト１ｂが設定された傾斜角度になった時は、うがい可能状態となっているようにする。
【００１７】
スピットン鉢４をうがい可能状態にするタイミングは、患者によって異なるので、当該患者の診療が終了した後は、解除用押し釦Ｒを押して、当該患者に対する設定を解除して、次の患者の設定に備える。また、解除用押し釦Ｒを押した後、設定用押し釦Ｓが押されない時は、従来の歯科治療ユニットと同様、バックレスト１ｂが起状態になった後に、自動的に或いは手動にて操作釦を押してスピットン鉢４が給排水ボックス３から出てくるようにしてもよい。
【図面の簡単な説明】
【００１８】
【図１】本発明による歯科用治療ユニットの動作例を説明するための概略構成図である。
【図２】本発明が適用される歯科用治療ユニットの一例を説明するための概略構成図である。
【図３】従来のスピットンの動作例を説明するための図である。
【符号の説明】
【００１９】
１…歯科用治療椅子、１ａ…安頭台、１ｂ…バックレスト、１ｃ…コンターシート、２…ワークテーブル、３…給排水ボックス、３ａ…軸、４…スピットン鉢、５…無影灯、６…インスツルメントホルダ、７…フットスイッチ、８…アシスタントインスツルメントホルダ、９…インスツルメント。
【図１】
2008048758.tif 000003
【図２】
2008048758.tif 000004
【図３】
2008048758.tif 000005